(57)【要約】【課題】薄くてもクッション性が高く、感触が柔らかく、寝心地が良く、床ずれや褥瘡を起こしにくい詰物体を提供する。【解決手段】側地（１ａ，１ｂ）の内部に中綿（２）が存在し、前記側地（１ａ，１ｂ）と中綿（２）が一体的にキルティングされている詰物体において、前記側地（１ａ，１ｂ）内部のいずれかの層に伸縮性のあるストレッチ性中生地（３）を介在させ、前記ストレッチ性中生地（３）をいずれかの方向に伸長させた状態でキルティングし、キルティング後に前記ストレッチ性中生地を非伸長状態に戻すことにより、非キルティング部を自然収縮により膨出させる。【選択図】  図１
2006068230.tif 000002
【特許請求の範囲】
【請求項１】
側地の内部に中綿が存在し、前記側地と中綿が一体的にキルティングされている詰物体において、
前記側地内部のいずれかの層に伸縮性のあるストレッチ性中生地を介在させ、
前記ストレッチ性中生地をいずれかの方向に伸長させた状態でキルティングし、キルティング後に前記ストレッチ性中生地を非伸長状態に戻すことにより、非キルティング部を自然収縮により膨出させたことを特徴とする詰物体。
【請求項２】
前記詰物体の前記ストレッチ性中生地は、張力をかけると伸長状態になり、張力を取り除くと元の非伸長状態に戻る可逆性を有する請求項１に記載の詰物体。
【請求項３】
前記キルティング時のストレッチ性中生地の伸長倍率は、非ストレッチ状態を１としたとき、１．１倍以上２．０倍以下である請求項１に記載の詰物体。
【請求項４】
前記ストレッチ性中生地の伸長方向は、詰物体の幅方向である請求項１〜３のいずれかに記載の詰物体。
【請求項５】
前記ストレッチ性中生地の介在位置は、中綿といずれか一方の側地との間である請求項１〜４のいずれかに記載の詰物体。
【請求項６】
前記ストレッチ性中生地は、縦及び横方向に伸縮するツーウェイ生地である請求項１〜５のいずれかに記載の詰物体。
【発明の詳細な説明】
【技術分野】
【０００１】
本発明は、生地の張力を利用した立体的な凹凸を有するパッド等の詰物体に関する。
【背景技術】
【０００２】
従来から、敷布団、敷パッド、ベッドパッド、コタツ敷き、介護マット、ラグマット、クッション、座布団、椅子布団、枕等の詰物体は、一般生活の中で多用されている。これらの詰物体は、暖かさのほかにクッション性と凹凸感が必要である。従来の敷き用詰物体は、中綿に木綿、ウール等の繊維ウェブやポリウレタン等の発泡体シートを入れ、キルティングして全体を一体化して作成していた。さらにクッション性と凹凸感を高めるため、下記特許文献１には熱収縮繊維と低融点繊維を混合して加熱処理し、熱収縮繊維を収縮させ、かつ低融点繊維を融着させて繊維間を固定した敷きパッドが提案されている。
【特許文献１】特開平８−７０９６２号公報
【発明の開示】
【発明が解決しようとする課題】
【０００３】
しかし、前記特許文献１で提案されている敷きパッドは、中綿が、熱収縮繊維と低融点繊維を混合して加熱処理し、熱収縮繊維を収縮させ、かつ低融点繊維を融着させて繊維間を固定しているので、感触が硬いという問題がある。すなわち、従来からの固綿の技術を用いているため、熱収縮による繊維は硬く、かつ低融点繊維の熱融着によりさらに硬くなり、全体としてかなりの硬さが出てしまう。そのため、寝心地は良くなく、病人や老人等が長時間使用すると床ずれや褥瘡を起こすという問題がある。
【０００４】
本発明は、前記従来の問題を解決するため、薄くてもクッション性が高く、感触が柔らかく、寝心地が良く、床ずれや褥瘡を起こしにくい詰物体を提供する。
【課題を解決するための手段】
【０００５】
本発明の詰物体は、側地の内部に中綿が存在し、前記側地と中綿が一体的にキルティングされている詰物体において、前記側地内部のいずれかの層に伸縮性のあるストレッチ性中生地を介在させ、前記ストレッチ性中生地をいずれかの方向に伸長させた状態でキルティングし、キルティング後に前記ストレッチ性中生地を非伸長状態に戻すことにより、非キルティング部を自然収縮により膨出させたことを特徴とする。
【発明の効果】
【０００６】
本発明の詰物体は、側地内部のいずれかの層に伸縮性のあるストレッチ性中生地を介在させ、前記ストレッチ性中生地をいずれかの方向に伸長させた状態でキルティングし、キルティング後に前記ストレッチ性中生地を非伸長状態に戻すことにより、キルティングされていない部分を自然収縮により膨出させたことにより、薄くてもクッション性が高く、感触が柔らかく、寝心地が良く、床ずれや褥瘡を起こしにくい詰物体とすることができる。すなわち、ストレッチ性中生地の張力のみを利用した立体的な凹凸を有するので、体圧が加わることで体に馴染むように伸び、体圧が分散され、床ずれや褥瘡が起こりにくいものとなる。
【発明を実施するための最良の形態】
【０００７】
本発明の詰物体は、側地内部のいずれかの層に伸縮性のあるストレッチ性中生地を介在させ、前記ストレッチ性中生地をいずれかの方向に伸長させた状態でキルティングし、キルティング後に前記ストレッチ性中生地を非伸長状態に戻して製作する。これにより、キルティングされていない部分を自然収縮により膨出させる。また、この詰物体は、前記ストレッチ性中生地の伸長性により、体圧程度の張力をかけると伸長状態になり、張力を取り除くと元の非伸長状態に戻るという可逆性を有する。この結果、体圧を分散でき、床ずれや褥瘡を起こしにくい詰物体とすることができる。
【０００８】
また、ストレッチ性中生地の張力のみを利用した立体的な凹凸を有するので、体圧が加わることで体に馴染むように伸び、体圧が加わっていないときは復元する張力が働いて元の凹凸に戻る詰物体である。
【０００９】
前記キルティング時のストレッチ性中生地の伸長倍率は、非ストレッチ状態（定常状態）を１としたとき、１．１倍以上２．０倍以下であることが好ましい。この範囲であると、所望の凹凸が形成でき、見栄えも良いものとなる。
【００１０】
前記ストレッチ性中生地を幅方向に伸長させ、この状態でキルティングすることが好ましい。このようにすると、詰物体の長さ方向に沿って膨出部が並び人体の長さ方向に沿いやすい。
【００１１】
前記ストレッチ性中生地の介在位置は、中綿といずれか一方の側地との間であることが好ましい。
【００１２】
前記ストレッチ性中生地は、一方向に伸びるワンウェイ生地でも良いが、縦及び横方向に伸縮するツーウェイ生地であるのがより好ましい。人体の体圧がかかったとき、縦及び横方向に伸びることにより、体圧を分散でき、床ずれや褥瘡を起こしにくい詰物体とすることができる。
【００１３】
なお、本発明で使用する側地（表生地及び裏生地）は、起毛ニットを用いるのが好ましい。暖かい風合いと伸縮性が高く、着用感も高いからである。
【００１４】
また、中綿としては、カードにより解繊したウェブをそのまま用いても良いし、ニードルパンチやウォーターパンチ（高圧水）等の処理をして部分的に繊維を交絡したシートを用いても良い。ニードルパンチやウォーターパンチをした交絡シートを用いると、さら弾発性を高くでき、床付き感を改善できる。
【実施例】
【００１５】
以下、実施例及び比較例を用いて本発明をさらに具体的に説明する。
【００１６】
（実施例１）
１．材料
図１に示すように、次の材料を準備した。
（１）表生地１ａとしてコットン１００重量％のスムース編組織ニット生地（目付け１５０ｇ／ｍ2）を用いた。
（２）中綿２としてウール１００重量％カードウェブ（目付け５１０ｇ／ｍ2）を用いた。
（３）ストレッチ性中生地３としてツーウェイ伸縮生地（東洋経編社製商品名"ＥＭ８１００"、定荷重時伸長弾性率：たて方向９７．３％、よこ方向８８．２％、通気性：２４５ｍ3／ｍ2・Ｓ、目付け２１０ｇ／ｍ2）を用いた。
（４）裏生地１ｂとしてコットン１００重量％のスムース編組織ニット生地（目付け１５０ｇ／ｍ2）を用いた。
２．作製方法
上記（１）〜（４）の材料を図１に示すように重ね合わせて、多針キルティング（キルティング装置:HASHIMA QUILTING MACHINE 88NC）にて製品加工を行った。その際に、ストレッチ性中生地３だけを進行方向（製品の幅方向）に１．５倍程度伸ばしながらキルティングを行った。周囲も縁取り縫製をした。縫い終わった際に、中綿２と表生地１ａ及び裏生地１ｂはストレッチ生地３の復元力によって収縮した。でき上がり寸法は長さ２００ｃｍ、幅１００ｃｍであった。全体重量は２．６５ｋｇ／枚であった。
【００１７】
製品の外観は、キルトの間に形成される島の形状は対角線寸法が３５ｍｍ×７０ｍｍの菱形形状であり、厚みは３５ｍｍであった。これを「凹凸パッド」とする。
【００１８】
製品全体の収縮率は、収縮した凹凸パッドを横幅方向に伸ばして見ると、製品仕上がり１００ｃｍ幅の凹凸パッドは１４０ｃｍ幅まで伸び、約１．４倍の伸縮性がキルティングの後に残っていた。
【００１９】
このようにして得られた凹凸パッドの外観写真を図２Ａ−Ｃに示す。図２Ａは凹凸パッド全体を折りたたみ、斜め方向から見た写真であり、図２Ｂ−Ｃは凹凸部の拡大写真である。
【００２０】
（比較例１）
実施例１において、ストレッチ性中生地３を使用せず、キルティング時には製品の幅方向にストレッチをかけずに定長を保ってキルティングをした以外は実施例１と同様にパッドを作製した。キルトの間に形成される島の形状は、対角線寸法が６５ｍｍ×７５ｍｍの菱形形状であった。また、厚みは１５ｍｍであった。これを「ブランクパッド」とする。
【００２１】
（実施例３）
１．体圧分散試験
実施例１及び比較例１のパッドを用いて体圧分散試験をした。体圧分散試験は、コーレンス社製の“ＥＲＧＯ  ＣＨＥＣＫ測定システムＡＢＷ−Ｅ型”を使用した。介護用の硬いマットレス“パラケアマットレス”の上にパッドを置いて、計測シートを被せてその上に被験者が仰向けに寝て、３０秒後に体圧分散性を数値として測定した。次に同じ要領で被験者に横向きに寝てもらい、同様に測定した。被験者の身長は１７０ｃｍ、体重は６１ｋｇの成人男子とした。
【００２２】
測定結果を次の表１及び表２にまとめた。
【００２３】
【表１】
2006068230.tif 000003
【００２４】
【表２】
2006068230.tif 000004
【００２５】
以上から、実施例１の凹凸パッドのほうがブランクパッドに比べて、最大荷重が８％〜１４％程度緩和された。
２．モニタリング試験
実施例１及び比較例１のパッドを用いて、モニタリング試験を行った。その結果を次にまとめた。
（１）クッション性
実施例１の凹凸パッドは、床の上に敷いて寝転がると、凸の部分で程良いクッション性があった。パッドでありながら、敷きふとんの様な寝心地感が得られた。比較例１のブランクパッドにはこのような特性はなかった。
（２）自然な寝心地の維持
本発明の実施例１の凹凸パッドは、極端に荷重のかかる部分においては、凹凸感が体圧を吸収し、それ以外の部分では、軽く浮いた寝姿勢が維持できる。その結果、自然と背中はＳ字を描くことになり、この姿勢はたっている時と同様な姿勢であり、身体に負担のかからない寝姿勢が維持できる。この結果、長時間寝ていても寝疲れが生じにくいパッドとなる。
（３）寝ている間の血行を妨げない
最大荷重が８％〜１４％程度緩和されており、点接触から面接触となり、局部的な血行障害を緩和できる。その結果、寝ている間の血行を妨げないパッドとなる。
（４）通気性
凹凸構造の凹部に溜まった空気は、寝返りと共にポンプ効果で排出されるので、高い通気性が得られる。
（４）指圧効果
凹凸構造による指圧効果も得られる。
（５）まとめ
以上の実験結果から、本発明の凹凸パッドは、クッション性が高く、自然な寝心地の維持ができ、局部的に血行を妨げないパッドであり、凹凸形状から通気性も感じられ、蓐瘡になりにくい予防パッドであることが確認できた。
［産業上の利用分野］
本発明の凹凸パッドは、敷布団、敷パッド、ベッドパッド、コタツ敷き、介護マット、ラグマット、クッション、座布団、椅子布団、枕等のクッション性を必要とされる詰物体であれば、どのようなものにも適用できる。
【図面の簡単な説明】
【００２６】
【図１】本発明の実施例１における凹凸パッドの製造工程を示す概略断面図。
【図２】Ａ−Ｃは本発明の実施例１で得られた凹凸パッドの写真
【符号の説明】
【００２７】
１ａ  表生地
１ｂ  裏生地
２  中綿
３  ストレッチ性中生地
【図１】
2006068230.tif 000005
【図２】
2006068230.tif 000006